(57)【要約】【課題】吐水装置の操作性を向上を実現する。【解決手段】吐水装置は、水栓ユニットと、水栓ユニットを操作する操作装置と、を備える。操作装置は、ダイヤル操作部を含む。ダイヤル操作部は、回転軸まわりに回転可能で、かつ、回転軸方向に移動可能なハンドルを含む。ハンドルが通常回しされると、水栓ユニットから吐出される水の設定流量が変更され、ハンドルが押し回されると、水栓ユニットから吐出される水の設定温度が変更される。【選択図】図８
2016211186.tif 000002
【特許請求の範囲】
【請求項１】
水栓ユニットと、
前記水栓ユニットを操作する操作装置と、を備え、
前記操作装置は、軸まわりに回転可能で、かつ、当該軸方向に移動可能な操作部を含み、
第１の位置において前記操作部が回転すると、前記水栓ユニットによる水の吐出に関する第１の設定についての調節値が変更され、前記第１の位置とは前記軸方向における位置が異なる第２の位置において前記操作部が回転すると、前記水栓ユニットによる水の吐出に関する第２の設定についての調節値が変更されることを特徴とする吐水装置。
【請求項２】
前記第１の設定は、前記水栓ユニットから吐出される水の流量であり、
前記第２の設定は、前記水栓ユニットから吐出される水の温度であることを特徴とする請求項１に記載の吐水装置。
【請求項３】
前記第１の位置において前記操作部が回転すると、前記第１の設定の調節値が変更されていることが認識できる態様で表示され、
前記第２の位置において前記操作部が回転すると、前記第２の設定の調節値が変更されていることが認識できる態様で表示されることを特徴とする請求項１または２に記載の吐水装置。
【発明の詳細な説明】
【技術分野】
【０００１】
本発明は、吐水装置に関する。
【背景技術】
【０００２】
キッチンユニットや浴室ユニットなどに用いられる吐水装置が知られている。従来では、吐出される水の温度や流量などの複数の吐出に関する設定（以下、「吐出設定」と呼ぶ）を調節できる吐水装置が提案されている（例えば特許文献１）。
【先行技術文献】
【特許文献】
【０００３】
【特許文献１】特開２０１０−２０３１０４号公報
【発明の概要】
【発明が解決しようとする課題】
【０００４】
特許文献１に記載される吐水装置では、操作部の回転量に応じて温度が調節され、操作部の押し込み量によって流量が調節される。すなわち、１つの操作部に対する操作によって温度と流量の２つの吐出設定を調節できる。しかしながら、操作部の押し込み量を調節することにより吐出設定を調節するのは比較的困難であり、従来の吐水装置には操作性の面で改善の余地がある。
【０００５】
本発明はこうした状況に鑑みてなされたものであり、その目的は、吐水装置の操作性を向上することにある。
【課題を解決するための手段】
【０００６】
上記課題を解決するために、本発明のある態様の吐水装置は、水栓ユニットと、水栓ユニットを操作する操作装置と、を備える。操作装置は、軸まわりに回転可能で、かつ、当該軸方向に移動可能な操作部を含む。第１の位置において操作部が回転すると、水栓ユニットによる水の吐出に関する第１の設定についての調節値が変更され、第１の位置とは軸方向における位置が異なる第２の位置において操作部が回転すると、水栓ユニットによる水の吐出に関する第２の設定についての調節値が変更される。
【０００７】
この態様によると、第１の設定の調節値と第２の設定の調節値とを、１つの操作部を操作することによって変更できる。特に、いずれの調節値を変更する場合も操作部を回転させることによって変更できる。これにより、操作性が向上した吐水装置を実現できる。
【０００８】
第１の設定は、水栓ユニットから吐出される水の流量であり、第２の設定は、水栓ユニットから吐出される水の温度であってもよい。この場合、変更される頻度が比較的高い流量と温度とを、１つの操作部を操作することによって調節できる。
【０００９】
第１の位置において操作部が回転すると、第１の設定の調節値が変更されていることが認識できる態様で表示され、第２の位置において操作部が回転すると、第２の設定の調節値が変更されていることが認識できる態様で表示されてもよい。この場合、いずれの調節値が変更されているかを認識できる。
【００１０】
なお、以上の構成要素の任意の組み合わせや、本発明の構成要素や表現を方法、システムなどの間で相互に置換したものもまた、本発明の態様として有効である。
【発明の効果】
【００１１】
本発明によれば、吐水装置の操作性を向上できる。
【図面の簡単な説明】
【００１２】
【図１】第１の実施の形態に係る吐水装置を備えるキッチンユニットを示す斜視図である。
【図２】図１の吐水装置を拡大して示す斜視図である。
【図３】図１の吐水装置を概略的に示す構成図である。
【図４】ダイヤル操作部およびダイヤル操作検出部を示す斜視断面図である。
【図５】ダイヤル操作部およびダイヤル操作検出部を示す正面断面図である。
【図６】制御部の機能および構成を示すブロック図である。
【図７】図６のプリセット情報記憶部のデータ構造を示す図である。
【図８】ダイヤル操作部を操作したときの動作を示すフローチャートである。
【図９】第２の実施の形態に係る吐水装置を備える浴室ユニットを示す斜視図である。
【図１０】図９の吐水装置を拡大して示す斜視図である。
【図１１】図９の吐水装置を概略的に示す構成図である。
【図１２】制御部の機能および構成を示すブロック図である。
【図１３】図１２のプリセット情報保持部のデータ構造を示す図である。
【図１４】第２ダイヤル操作部を操作したときの動作を示すフローチャートである。
【発明を実施するための形態】
【００１３】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
（第１の実施の形態）
図１は、第１の実施形態に係る吐水装置１０を備えるキッチンユニット１００を示す斜視図である。キッチンユニット１００は、カウンターの一部に設けられるシンク２と、シンク２上に設置される吐水装置１０と、を備える。
【００１５】
図２は、図１の吐水装置１０を拡大して示す斜視図である。図３は、図１の吐水装置１０を概略的に示す構成図である。吐水装置１０は、吐水管１２と、水栓ユニット２８（図２では不図示）と、操作装置３０と、人体検知センサ１６と、を含む。吐水管１２は、シンク２に取り付けられ、水栓ユニット２８から供給される水を吐出する。
【００１６】
人体検知センサ１６は、本実施の形態では、操作装置３０に取り付けられる。なお、人体検知センサ１６は、吐水管１２やシンク２やその他の場所に取り付けられてもよい。人体検知センサ１６は、その近くにかざされた使用者の手を非接触で検知し、手を検知すると、操作装置３０に信号を送る。
【００１７】
水栓ユニット２８は、給水流路３２と、給湯流路３４と、湯水混合部３６と、吐出流路３８と、流量調節部４０と、吐出口４２と、を備える。給水流路３２は、上水道（不図示）に接続され、水（冷水）を湯水混合部３６に供給する。給湯流路３４は、給湯器（不図示）に接続され、給湯器で温められた水（湯水）を湯水混合部３６に供給する。湯水混合部３６は、給水流路３２と給湯流路３４に接続される。湯水混合部３６は、給水流路３２から供給される水（冷水）と給湯流路３４から供給される水（湯水）とを、操作装置３０によって設定された比率で混合する。
【００１８】
吐出流路３８は、一端が湯水混合部３６に接続され、他端（吐出口４２側）が吐水管１２に接続される。流量調節部４０は、吐出流路３８上に設けられ、例えばパイロット式の電動弁を含んで構成される。流量調節部４０は、操作装置３０に操作されて、吐出流路３８を開閉する。また流量調節部４０は、吐出流路３８を流れる水の流量を、操作装置３０によって設定された流量に調節する。吐出流路３８が開くと、湯水混合部３６で混合された水であって設定された流量の水が吐出流路３８を流れ、吐出口４２から吐出される。吐出口４２から吐出した水は、吐水管１２からシンク２に吐出される。吐出流路３８が閉じると、吐出流路３８を水が流れなくなり、吐出口４２（ひいては吐水管１２）からの水の吐出が止まる。
【００１９】
操作装置３０は、ユーザの操作に基づいて、水栓ユニット２８を操作する。操作装置３０は、ダイヤル操作部５０と、プリセット操作部５２と、ダイヤル操作検出部５４と、ダイヤル操作伝達部５６と、プリセット操作伝達部５８と、表示部５９と、制御部６０と、を備える。
【００２０】
図４、５は、ダイヤル操作部５０およびダイヤル操作検出部５４を示す斜視断面図および正面断面図である。ダイヤル操作部５０は、ハンドル９０と、支持部材９１と、接続部材９３と、を含む。ハンドル９０は、円筒部９０ａと底部９０ｂとが一体に形成された有底カップ形状を有し、その底部９０ｂを上にして配置される。底部９０ｂには、ハンドル９０の回転軸Ｌａに沿って延在するハンドル軸部９０ｃが設けられている。支持部材９１は、ハンドル９０を操作装置３０の筐体（不図示）に対して回転自在に支持する。
【００２１】
本実施の形態では、設定流量を変更するときは、ハンドル９０をその回転軸Ｌａ方向に押し込まずにその回転軸Ｌａまわりに回す（以下、「通常回しする」と呼ぶ）。設定温度を変更するときは、ハンドル９０をその回転軸Ｌａ方向に押し込んだ状態でその回転軸Ｌａまわりに回す（以下、「押し回しする」と呼ぶ）。
【００２２】
ダイヤル操作検出部５４は、本実施の形態では、ロータリエンコーダである。ダイヤル操作検出部５４はロッド５４ａを有し、このロッド５４ａは、接続部材９３を介してハンドル軸部９０ｃに接続される。ユーザによってハンドル９０が回転軸Ｌａまわりに回されると、ロッド５４ａも回転軸Ｌａまわりに回転する。ダイヤル操作検出部５４は、このロッド５４ａの回転に基づいて、回転軸Ｌａまわりにおけるハンドル９０の回転（量）を検出する。また、ユーザによってハンドル９０が回転軸Ｌａ方向に押し込まれると、ハンドル９０とともにロッド５４ａが回転軸Ｌａ方向に移動する。ダイヤル操作検出部５４は、このロッド５４ａの移動に基づいて、回転軸Ｌａ方向におけるハンドル９０の移動、すなわち回転軸Ｌａ方向におけるハンドル９０の押し込みを検出する。ハンドル９０が押し回しされた場合、ダイヤル操作検出部５４は、ハンドル９０の押し込みと回転とを検出する。
【００２３】
なお、ダイヤル操作検出部５４には、バネ等の付勢部材（不図示）が内蔵されている。付勢部材は、ハンドル９０とともにロッド５４ａが押し込まれると、押し込み前の位置に戻すための付勢力をロッド５４ａに与える。
【００２４】
図２、３に戻り、ダイヤル操作伝達部５６は、ダイヤル操作検出部５４によって検出された情報（以下、「ダイヤル操作情報」と呼ぶ）を、有線あるいは無線により、制御部６０へ送信する。ダイヤル操作伝達部５６は、ハンドル９０が通常回しされた場合は、その旨およびその回転量を示す情報を含むダイヤル操作情報を制御部６０へ送信する。また、ダイヤル操作伝達部５６は、ハンドル９０が押し回しされた場合は、その旨およびその回転量を示す情報を含むダイヤル操作情報を制御部６０へ送信する。
【００２５】
プリセット操作部５２は、第１プリセットボタン５２ａ〜第６プリセットボタン５２ｆ（以下、これらをまとめて「プリセットボタン」とも呼ぶ）を含む。プリセットボタンは、あらかじめ設定された吐出設定を呼び出すときに押下される。
【００２６】
プリセット操作伝達部５８は、プリセット操作部５２に対する操作の内容を示す情報（以下、「プリセット操作情報」と呼ぶ）を、有線あるいは無線により、制御部６０へ送信する。具体的には、プリセット操作伝達部５８は、押下されたプリセットボタンを示す情報を制御部６０へ送信する。
【００２７】
表示部５９は、設定温度表示欄８２と、設定流量表示欄８４と、を含む。設定温度表示欄８２には、吐出口４２（ひいては吐水管１２）から吐出される水の設定温度が表示される。なお、設定温度表示欄８２には、ダイヤル操作部５０を操作することによって設定された設定温度や、プリセットボタンを押下することによって設定された設定温度が表示される。
【００２８】
設定流量表示欄８４には、吐出口４２（ひいては吐水管１２）から吐出される水の設定流量が表示される。本実施の形態では、設定流量はインジケータで表示される。なお、設定流量表示欄８４には、ダイヤル操作部５０を操作することによって設定された設定流量や、プリセットボタンを押下することによって設定された設定流量が表示される。
【００２９】
図６は、制御部６０の機能および構成を示すブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。後述の図１２についても同様である。
【００３０】
制御部６０は、ダイヤル操作情報受付部６２と、プリセット操作情報受付部６４と、プリセット情報登録部６６と、表示制御部６８と、人体検知情報受付部７０と、吐出制御部７２と、設定情報保持部７４と、プリセット情報保持部７６と、を含む。
【００３１】
設定情報保持部７４は、吐出口４２から吐出される水の設定温度（℃）と、吐出口４２から吐出される水の設定流量（ｌ／ｍｉｎ）と、を保持する。この設定温度と設定流量とが現在設定されている吐出設定であり、吐出制御部７２は、この設定温度、設定流量の水が吐出されるよう水栓ユニット２８を操作する。
【００３２】
プリセット情報保持部７６は、プリセットボタンが押下されたときに呼び出される吐出設定を保持する。図７は、プリセット情報保持部７６のデータ構造を示す。プリセット情報保持部７６は、吐出設定ＩＤ７６ａと、設定温度７６ｂと、設定流量７６ｃと、を対応づけて保持する。吐出設定ＩＤ７６ａは、吐出設定を一意に識別するためのＩＤを示す。吐出設定ＩＤ「１」〜「６」はそれぞれ、第１プリセットボタン５２ａ〜第６プリセットボタン５２ｆに対応する。設定温度７６ｂは、吐出される水の設定温度（℃）を示す。設定流量７６ｃは、吐出される水の設定流量（ｌ／ｍｉｎ）を示す。
【００３３】
ダイヤル操作情報受付部６２は、ダイヤル操作伝達部５６から、ダイヤル操作情報を受け付ける。ダイヤル操作情報受付部６２は、受け付けたダイヤル操作情報に基づいて、設定情報保持部７４を更新する。ダイヤル操作情報がハンドル９０が通常回しされた旨およびその回転量を示す情報を含む場合、ダイヤル操作情報受付部６２は、その回転量に基づいて設定情報保持部７４の設定流量を更新する。また、ダイヤル操作情報がハンドル９０が押し回しされた旨およびその回転量を示す情報を含む場合、ダイヤル操作情報受付部６２は、その回転量に基づいて設定情報保持部７４の設定温度を更新する。
【００３４】
プリセット操作情報受付部６４は、プリセット操作伝達部５８から、プリセット操作情報を受け付ける。プリセット操作情報受付部６４は、受け付けたプリセット操作情報に基づいて、プリセット情報保持部７６から吐出設定（設定温度、設定流量）を取得し、取得した吐出設定により設定情報保持部７４を更新する。例えば、プリセット操作情報が第２プリセットボタン５２ｂが押下されたことを示す情報である場合、プリセット操作情報受付部６４は、第２プリセットボタン５２ｂに対応する吐出設定ＩＤ「２」の吐出設定（設定温度「４２（℃）」、設定流量「２．０（ｌ／ｍｉｎ）」）をプリセット情報保持部７６から取得し、その吐出設定で設定情報保持部７４を更新する。
【００３５】
プリセット情報登録部６６は、プリセット情報保持部７６に吐出設定を登録する。本実施形態では、プリセット情報登録部６６は、設定情報保持部７４に保持されている吐出設定（すなわち現在設定されている吐出設定）をプリセット情報保持部７６に登録する。具体的には、プリセットボタンを長押しすると、そのプリセットボタンに対応するプリセット情報保持部７６の吐出設定が更新される。例えば、第３プリセットボタン５２ｃが長押しされた場合、設定情報保持部７４に保持されている吐出設定（すなわち現在設定されている吐出設定）により吐出設定ＩＤ「３」の吐出設定が更新される。
【００３６】
表示制御部６８は、設定情報保持部７４に保持されている設定温度、設定流量を、それぞれ設定温度表示欄８２、設定流量表示欄８４に表示させる。表示制御部６８は、設定情報保持部７４に保持されている設定温度または設定流量が更新された場合、すなわち設定温度または設定流量が変更された場合、更新された設定温度または設定流量をそれぞれ設定温度表示欄８２、設定流量表示欄８４に表示させる。この際、表示制御部６８は、どの吐出設定が更新されているか（すなわち設定が変更されているか）を認識できる態様で吐出設定を表示させる。例えば表示制御部６８は、温度設定が変更されている場合は、設定温度表示欄８２の表示の輝度を高くしたり、点滅表示させたり、色を変えて表示させてもよい。つまり、表示制御部６８は、変更されている吐出設定の表示を強調表示させてもよい。
【００３７】
人体検知情報受付部７０は、人体検知センサ１６から信号を受け付ける。吐出制御部７２は、人体検知情報受付部７０が信号を受け付けると、吐出される水の温度が設定情報保持部７４に保持されている設定温度となるように、すなわち湯水混合部３６において混合される冷水と湯水の比率が設定温度に応じた比率となるように、湯水混合部３６に指示を送る。
【００３８】
続いて吐出制御部７２は、流量調節部４０に開弁指示を送り、流量調節部４０に開弁動作を開始させる。吐出制御部７２は特に、吐出される水の流量が設定情報保持部７４に保持されている設定流量となるように、すなわち流量調節部４０の開度が設定流量に応じた開度となるように、流量調節部４０に開弁指示を送る。吐出制御部７２は、人体検知情報受付部７０が信号を再度受け付けると、流量調節部４０に閉弁指示を送り、流量調節部４０に閉弁動作を開始させる。
【００３９】
以上のように構成された吐水装置１０の動作について説明する。
図８は、ダイヤル操作部５０を操作したときの動作を示すフローチャートである。押し回しされたことをダイヤル操作検出部５４が検出すると（Ｓ１０のＹ）、ダイヤル操作伝達部５６はその旨を示す情報を含むダイヤル操作情報を制御部６０に送る（Ｓ１２）。ダイヤル操作情報受付部６２は、ダイヤル操作情報を受け付けると、そのダイヤル操作情報に基づいて、設定情報保持部７４の設定温度を更新する（Ｓ１４）。表示制御部６８は、更新された設定温度を、設定温度表示欄８２に表示させる（Ｓ１６）。人体検知センサ１６が手を検知すると、このようにして変更された設定温度の水が吐出される。
【００４０】
通常回しされていることをダイヤル操作検出部５４が検出すると（Ｓ１０のＮかつＳ１８のＹ）、ダイヤル操作伝達部５６はその旨を示す情報を含むダイヤル操作情報を制御部６０に送る（Ｓ２０）。ダイヤル操作情報受付部６２は、ダイヤル操作情報を受け付けると、そのダイヤル操作情報に基づいて、設定情報保持部７４の設定流量を更新する（Ｓ２２）。表示制御部６８は、更新された設定流量を、設定流量表示欄８４に表示させる（Ｓ２４）。人体検知センサ１６が手を検知すると、このようにして変更された設定流量の水が吐出される。押し回しも通常回しも検出されていない場合（Ｓ１０のＮかつＳ１８のＮ）、処理は終了する。
【００４１】
以上説明した本実施の形態に係る吐水装置１０によると、ダイヤル操作部５０のハンドル９０を通常回しすると設定流量が調整され、ダイヤル操作部５０のハンドル９０を押し回しすると設定温度が調整される。つまり、１つの操作部を操作することによって設定流量の調節も設定温度の調節もできる。しかも、設定流量および設定温度のいずれを調節する場合も、ダイヤル操作部５０のハンドル９０を回転操作させることによって調節できる。したがって、ダイヤル操作部５０のハンドル９０の押し込み量を調節することによって流量または温度の調節が実現される場合と比べ、調節が容易となり、操作性が向上する。
【００４２】
また、本実施の形態に係る吐水装置１０によると、流量を調節するための操作部と温度を調節するための操作部とを１つのダイヤル操作部５０で実現できる。したがって、それぞれの調節のための操作部が不要となり、吐水装置１０のデザインをシンプルにできる。また、流量の調節と温度の調節とを続けて行う場合に、ダイヤル操作部５０を持ったまま離さずに操作できる。つまり、使い勝手の良い吐水装置を実現できる。また、本実施の形態に係る吐水装置１０では、流量を調節するための操作部と温度を調節するための操作部とを１つのダイヤル操作部５０で実現しながらも、流量を調節するための操作（通常回し）と温度を調節するための操作（押し回し）とがそれぞれ独立し、それぞれの調節が同時に行われないよう構成されている。これにより、流量の調節のみを行うつもりが誤って温度の調節も同時に行ってしまうといった誤操作を防ぐことができる。
【００４３】
また、本実施の形態に係る吐水装置１０によると、調節される頻度がより高い流量の調節はダイヤル操作部５０を通常回しすることで実現され、意図せず変更されると危険のある温度の調節はダイヤル操作部５０を押し回しすることで実現される。つまり、本実施の形態に係る吐水装置１０によると、操作性と安全性の両方が向上する。
【００４４】
また、本実施の形態に係る吐水装置１０によると、設定温度が変更されている場合、設定温度が変更されていことが認識できる態様で設定温度が設定温度表示欄８２に表示される。同様に、設定流量が変更されている場合、設定流量が変更されていることが認識できる態様で設定流量が設定流量表示欄８４に表示される。つまり、各吐出設定が変更された場合、その吐出設定が変更されていることが認識できる態様でその吐出設定が表示される。これにより、１つのダイヤル操作部５０により２つの吐出設定を調節できるようにした場合でも、いずれの吐出設定が変更されているかを把握できる。
【００４５】
（第２の実施の形態）
図９は、第２の実施の形態に係る吐水装置１１０を備える浴室ユニット２００を示す斜視図である。浴室ユニット２００は、浴槽１０２と、洗い場１０４と、壁１０６と、カウンター１０８と、吐水装置１１０と、鏡１１２と、シャワーフック１１４と、シャワーヘッド１１６と、シャワーホース１１８と、カラン（図９では不図示）と、２つの収納棚１２０と、を備える。
【００４６】
洗い場１０４は、浴槽１０２に隣接して設けられる。壁１０６は、浴槽１０２および洗い場１０４を取り囲む。カウンター１０８は、洗い場１０４側の壁１０６に固定される。カウンター１０８は、風呂桶や、シャンプーボトル、ボディソープボトル、その他の小物などを置くための物置台として機能する。鏡１１２は、縦長に形成され、カウンター１０８の上方で壁１０６に固定される。２つの収納棚１２０は、ユーザが立っているときに必要な小物を取り出せる高さで壁１０６に固定される。
【００４７】
吐水装置１１０は、カウンター１０８と鏡１１２との間において壁１０６に固定される。吐水装置１１０には、一端側にシャワーヘッド１１６が設けられたシャワーホース１１８とカランとが接続され、これらに水（温水または冷水）を吐出する。シャワーフック１１４は、浴槽１０２と吐水装置１１０との間において壁１０６に固定される。シャワーフック１１４にはシャワーヘッド１１６が掛止される。
【００４８】
図１０は、図９の吐水装置１１０を示す斜視図である。図１１は、図９の吐水装置１１０を概略的に示す構成図である。吐水装置１１０は、水栓ユニット１２８（図１０では不図示）と、操作装置１３０と、を含む。水栓ユニット１２８は、本実施の形態では、壁１０６の裏側に配置される。なお、水栓ユニット１２８は、洗い場１０４の床下に配置されても、操作装置１３０の筐体内に配置されても、その他の場所に配置されてもよい。水栓ユニット１２８は、給水流路３２と、給湯流路３４と、湯水混合部３６と、第１吐出流路１３８と、第１流量調節部１４０と、第１吐出口１４２と、第２吐出流路１４４と、第２流量調節部１４６と、第２吐出口１４８と、を備える。
【００４９】
第１吐出流路１３８は、一端が湯水混合部３６に接続され、他端（第１吐出口１４２側）がシャワーホース１１８に接続される。第１流量調節部１４０は、第１吐出流路１３８上に設けられ、例えばパイロット式の電動弁を含んで構成される。第１流量調節部１４０は、操作装置１３０に操作されて、第１吐出流路１３８を開閉する。また第１流量調節部１４０は、第１吐出流路１３８を流れる水の流量を、操作装置１３０によって設定された流量に調節する。第１吐出流路１３８が開くと、湯水混合部３６で混合された水であって設定された流量の水が第１吐出流路１３８を流れ、第１吐出口１４２から吐出する。第１吐出口１４２から吐出した水は、シャワーホース１１８を流れ、シャワーヘッド１１６から吐出する。第１吐出流路１３８が閉じると、第１吐出流路１３８を水が流れなくなり、第１吐出口１４２からの水の吐出が止まる。
【００５０】
第２吐出流路１４４は、一端が湯水混合部３６に接続され、他端（第２吐出口１４８側）がカラン１２２に接続される。第２流量調節部１４６は第２吐出流路１４４上に設けられ、例えばパイロット式の電動弁を含んで構成される。第２流量調節部１４６は、操作装置１３０に操作されて、第２吐出流路１４４を開閉する。また第２流量調節部１４６は、第２吐出流路１４４を流れる水の流量を、操作装置１３０によって設定された流量になるよう調節する。第２吐出流路１４４が開くと、湯水混合部３６で混合された水であって設定された流量の水が第２吐出流路１４４を流れ、第２吐出口１４８から吐出する。第２吐出口１４８から吐出した水は、カラン１２２から吐出する。第２吐出流路１４４が閉じると、第２吐出流路１４４を水が流れなくなり、第２吐出口１４８からの水の吐出が止まる。
【００５１】
操作装置１３０は、第１ダイヤル操作部１５１と、第２ダイヤル操作部１５２と、第３ダイヤル操作部１５３と、第１ダイヤル操作検出部１５４と、第２ダイヤル操作検出部１５５と、第３ダイヤル操作検出部１５６と、第１ダイヤル操作伝達部１５７と、第２ダイヤル操作伝達部１５８と、第３ダイヤル操作伝達部１５９と、プリセット操作部１６０と、プリセット操作伝達部１６１と、表示部１６２と、制御部１６３と、を備える。
【００５２】
第１ダイヤル操作部１５１、第２ダイヤル操作部１５２、第３ダイヤル操作部１５３は、第１の実施の形態のダイヤル操作部５０と同様に、回転軸回りに回転可能で、かつ、回転軸方向に移動可能に構成される。本実施の形態では、第１吐出口１４２（ひいてはシャワーヘッド１１６）からの吐出状態を切り替えるときには第１ダイヤル操作部１５１のハンドルを短押し（例えば５秒未満）する。また、第１吐出口１４２（ひいてはシャワーヘッド１１６）から吐出される水の設定流量を変更するときには第１ダイヤル操作部１５１のハンドルを通常回しする。
【００５３】
第２吐出口１４８（ひいてはカラン１２２）からの吐出状態を切り替えるときには第２ダイヤル操作部１５２のハンドルを短押しする。また、第２吐出口１４８からの吐出のモードを切り替えるときには第２ダイヤル操作部１５２のハンドルを長押し（例えば５秒以上）する。本実施の形態では、第２ダイヤル操作部１５２のハンドルを長押しすると、通常吐出モードと定量吐出モードとが切り替わる。ここで、通常吐出モードとは、第２ダイヤル操作部１５２のハンドルを短押しすることによって吐出を停止させるモードをいい、定量吐出モードとは、設定された総量（以下、「定量吐出流量」と呼ぶ）の水が吐出されると、自動で第２吐出口１４８からの吐出が停止するモードをいう。また、第２吐出口１４８から吐出される水の設定流量を変更するときには第２ダイヤル操作部１５２のハンドルを通常回しし、定量吐出流量を変更するときには第２ダイヤル操作部１５２のハンドルを押し回しする。
【００５４】
第１吐出口１４２または第２吐出口１４８から吐出される水の設定温度を切り替えるときには、第３ダイヤル操作部１５３のハンドルを通常回しする。
【００５５】
第１ダイヤル操作検出部１５４、第２ダイヤル操作検出部１５５、第３ダイヤル操作検出部１５６は、第１の実施の形態のダイヤル操作検出部５４と同様に構成される。第１ダイヤル操作検出部１５４、第２ダイヤル操作検出部１５５、第３ダイヤル操作検出部１５６はそれぞれ、第１ダイヤル操作部１５１のハンドル、第２ダイヤル操作部１５２のハンドル、第３ダイヤル操作部１５３のハンドルに対する操作を検出する。
【００５６】
第１ダイヤル操作伝達部１５７は、第１ダイヤル操作検出部１５４によって検出された情報（以下、「第１ダイヤル操作情報」と呼ぶ）を、有線あるいは無線により、制御部１６３へ送信する。第１ダイヤル操作伝達部１５７は、第１ダイヤル操作部１５１のハンドルが通常回しされた場合は、その旨およびその回転量を示す情報を制御部１６３へ送信する。また、第１ダイヤル操作伝達部１５７は、第１ダイヤル操作部１５１のハンドルが短押しされた場合は、その旨を制御部１６３へ送信する。
【００５７】
第２ダイヤル操作伝達部１５８は、第２ダイヤル操作検出部１５５によって検出された情報（以下、「第２ダイヤル操作情報」と呼ぶ）を、有線あるいは無線により、制御部１６３へ送信する。第２ダイヤル操作伝達部１５８は、第２ダイヤル操作部１５２が通常回しされた場合は、その旨およびその回転量を示す情報を制御部１６３へ送信する。また、第２ダイヤル操作伝達部１５８は、第２ダイヤル操作部１５２が短押しされた場合は、その旨を制御部１６３へ送信する。また、第２ダイヤル操作伝達部１５８は、第２ダイヤル操作部１５２が長押しされた場合は、その旨を制御部１６３へ送信する。加えて、第２ダイヤル操作伝達部１５８は、第２ダイヤル操作部１５２が押し回しされた場合にも、その旨およびその回転量を示す情報を制御部１６３へ送信する。
【００５８】
第３ダイヤル操作伝達部１５９は、第３ダイヤル操作検出部１５６によって検出された情報（以下、「第３ダイヤル操作情報」と呼ぶ）を、有線あるいは無線により、制御部１６３へ送信する。具体的には、第３ダイヤル操作伝達部１５９は、第３ダイヤル操作部１５３が回転操作された場合は、その旨およびその回転量を示す情報を制御部１６３へ送信する。
【００５９】
プリセット操作部１６０は、第１プリセットボタン１６０ａ〜第５プリセットボタン１６０ｅ（以下、これらをまとめて「プリセットボタン」とも呼ぶ）を含む。プリセットボタンは、あらかじめ設定された吐出設定を呼び出すときに押下される。
【００６０】
プリセット操作伝達部１６１は、プリセット操作部１６０に対する操作の内容を示す情報（以下、「プリセット操作情報」と呼ぶ）を、有線あるいは無線により、制御部１６３へ送信する。具体的には、プリセット操作伝達部５８は、押下されたプリセットボタンを示す情報を制御部１６３へ送信する。
【００６１】
表示部１６２は、設定温度表示欄１８２と、第１設定流量表示欄１８４と、第２設定流量表示欄１８５と、定量吐出流量表示欄１８６と、を含む。設定温度表示欄１８２には、第１吐出口１４２（ひいてはシャワーヘッド１１６）または第２吐出口１４８（ひいてはカラン１２２）から吐出される水の設定温度が表示される。なお、設定温度表示欄１８２には、第３ダイヤル操作部１５３を操作することによって設定された設定温度や、プリセットボタンを押下することによって設定された設定温度が表示される。
【００６２】
第１設定流量表示欄１８４には、第１吐出口１４２（ひいてはシャワーヘッド１１６）から吐出される水の設定流量である第１設定流量が表示される。本実施の形態では、第１設定流量はインジケータで表示される。なお、第１設定流量表示欄１８４には、第１ダイヤル操作部１５１を操作することによって設定された第１設定流量や、プリセットボタンを押下することによって設定された第１設定流量が表示される。
【００６３】
第２設定流量表示欄１８５には、第２吐出口１４８（ひいてはカラン１２２）から吐出される水の設定流量である第２設定流量が表示される。本実施の形態では、第２設定流量はインジケータで表示される。なお、第２設定流量表示欄１８５には、第２ダイヤル操作部１５２を操作することによって設定された第２設定流量や、プリセットボタンを押下することによって設定された第２設定流量が表示される。
【００６４】
定量吐出流量表示欄１８６には、定量吐出モードのときに第２吐出口１４８（ひいてはカラン１２２）から吐出される水の総流量である定量吐出流量が表示される。なお、定量吐出流量表示欄１８６には、第２ダイヤル操作部１５２を操作することによって設定された総流量や、プリセットボタンを押下することによって設定された総流量が表示される。
【００６５】
図１２は、制御部１６３の機能および構成を示すブロック図である。制御部１６３は、ダイヤル操作情報受付部１６４と、プリセット操作情報受付部１６７と、プリセット情報登録部１６８と、表示制御部１６９と、吐出制御部１７２と、設定情報保持部１７４と、プリセット情報保持部１７６と、を含む。
【００６６】
設定情報保持部１７４は、第１吐出口１４２または第２吐出口１４８から吐出される水の設定温度（℃）と、第１設定流量（ｌ／ｍｉｎ）と、第２設定流量（ｌ／ｍｉｎ）と、定量吐出流量（ｌ）と、を保持する。これらの設定温度や設定流量等が現在設定されている吐出設定であり、吐出制御部１７２は、この設定温度、設定流量等の水が吐水されるよう水栓ユニット１２８を制御する。
【００６７】
プリセット情報保持部１７６は、プリセットボタンが押下されたときに呼び出される吐出設定を保持する。図１３は、プリセット情報保持部１７６のデータ構造を示す。プリセット情報保持部１７６は、吐出設定ＩＤ１７６ａと、設定温度１７６ｂと、第１設定流量１７６ｃと、第２設定流量１７６ｄと、定量吐出流量１７６ｅと、を対応づけて保持する。吐出設定ＩＤ１７６ａは、吐水設定を一意に識別するためのＩＤを示す。吐出設定ＩＤ「１」〜「５」はそれぞれ、第１プリセットボタン１６０ａ〜第５プリセットボタン１６０ｅに対応する。設定温度１７６ｂは、吐出される水の設定温度（℃）を示す。第１設定流量１７６ｃは、第１吐出口１４２から吐出される水の設定流量（ｌ／ｍｉｎ）を示す。第２設定流量１７６ｄは、第２吐出口１４８から吐出される水の設定流量（ｌ／ｍｉｎ）を示す。定量吐出流量１７６ｅは、定量吐出モードのときに第２吐出口１４８から吐出される水の総流量である定量吐出流量（ｌ）を示す。
【００６８】
ダイヤル操作情報受付部１６４は、第１ダイヤル操作伝達部１５７から、第１ダイヤル操作情報を受け付ける。第１ダイヤル操作情報が、第１ダイヤル操作部１５１が通常回しされた旨およびその回転量を示す情報を含む場合、ダイヤル操作情報受付部１６４は、その回転量に基づいて設定情報保持部１７４の第１設定流量を更新する。
【００６９】
また、ダイヤル操作情報受付部１６４は、第２ダイヤル操作伝達部１５８から、第２ダイヤル操作情報を受け付ける。第２ダイヤル操作情報が、第２ダイヤル操作部１５２が通常回しされた旨およびその回転量を示す情報を含む場合、ダイヤル操作情報受付部１６４は、その回転量に基づいて設定情報保持部１７４の第２設定流量を更新する。また、ダイヤル操作情報が、第２ダイヤル操作部１５２が押し回された旨およびその回転量を示す情報である場合、ダイヤル操作情報受付部１６４は、その回転量に基づいて設定情報保持部１７４の定量吐出流量を更新する。
【００７０】
また、ダイヤル操作情報受付部１６４は、第３ダイヤル操作伝達部１５９から、第３ダイヤル操作情報を受け付ける。第３ダイヤル操作情報が、第３ダイヤル操作部１５３が回転操作されたことおよびその回転量を示す情報である場合、ダイヤル操作情報受付部１６４は、その回転量に基づいて設定情報保持部１７４の設定温度を更新する。
【００７１】
プリセット操作情報受付部１６７は、プリセット操作伝達部１６１から、プリセット操作情報を受け付ける。プリセット操作情報受付部１６７は、受け付けたプリセット操作情報に基づいて、プリセット情報保持部１７６から吐出設定（設定温度、第１設定流量、第２設定流量、定量吐出流量）を取得し、取得した吐出設定により設定情報保持部１７４を更新する。例えば、プリセット操作情報が第３プリセットボタン１６０ｃが押下されたことを示す情報である場合、プリセット操作情報受付部１６７は、第３プリセットボタン１６０ｃに対応する吐出設定ＩＤ「３」の吐出設定（設定温度「３８℃」、第１設定流量「６．０（ｌ／ｍｉｎ）」、第２設定流量「８．０（ｌ／ｍｉｎ）」、定量吐出流量「２．０（ｌ）」）をプリセット情報保持部１７６から取得し、その吐出設定で設定情報保持部１７４を更新する。
【００７２】
プリセット情報登録部１６８は、プリセット情報保持部１７６に吐出設定を登録する。本実施形態では、プリセット情報登録部１６８は、設定情報保持部１７４に保持されている吐出設定（すなわち現在設定されている吐出設定）をプリセット情報登録部１６８に登録する。具体的には、プリセットボタンを長押しすると、そのプリセットボタンに対応するプリセット情報保持部１７６の吐出設定が更新される。例えば、第４プリセットボタン１６０ｄが長押しされた場合、設定情報保持部１７４に保持されている吐出設定（すなわち現在設定されている吐出設定）により吐出設定ＩＤ「４」の吐出設定が更新される。
【００７３】
表示制御部１６９は、設定情報保持部７４に保持されている設定温度、第１設定流量、第２設定流量、定量吐出流量を、それぞれ設定温度表示欄１８２、第１設定流量表示欄１８４、第２設定流量表示欄１８５、定量吐出流量表示欄１８６に表示させる。表示制御部６８は、設定情報保持部１７４に保持されている設定温度、第１設定流量、第２設定流量、または定量吐出流量が更新された場合、すなわち設定温度、第１設定流量、第２設定流量、または定量吐出流量が変更された場合、更新された設定温度、第１設定流量、第２設定流量、または定量吐出流量をそれぞれ設定温度表示欄１８２、第１設定流量表示欄１８４、第２設定流量表示欄１８５、定量吐出流量表示欄１８６に表示させる。この際、表示制御部１６９は、どの吐出設定が更新されているか（すなわち設定変更されているか）を認識できる態様で吐出設定を表示させる。例えば、第２ダイヤル操作部１５２が通常回しされて第２吐出口１４８（ひいてはカラン１２２）から吐出される水の流量が変更されている場合は、第２設定流量表示欄１８５の表示の輝度を高くしたり、点滅表示させたり、色を変えて表示させてもよい。つまり、表示制御部１６９は、変更されている吐出設定の表示を強調表示させてもよい。また例えば、表示制御部１６９は、吐出設定の変更中あるいは変更直後の一定期間（例えば１０秒）だけ、その吐出設定を表示欄に表示させてもよい。例えば、表示制御部１６９は、定量吐出モード中に加えて定量吐出流量の設定値の変更中あるいは変更直後の一定期間だけ、定量吐出流量を定量吐出流量表示欄１８６に表示してもよい。
【００７４】
吐出制御部１７２は、ダイヤル操作情報受付部１６４が受け付けた第１ダイヤル操作情報が、第１ダイヤル操作部１５１が短押しされた旨を示す情報を含む場合、吐出制御部１７２は第１吐出口１４２からの吐出状態を切り替える。すでに吐出中である場合は、吐出制御部１７２は、第１流量調節部１４０に閉弁指示を送り、第１流量調節部１４０に閉弁動作を開始させる。
【００７５】
吐出中でない場合は、吐出制御部１７２は、吐出される水の温度が設定情報保持部７４に保持されている設定温度となるように、すなわち湯水混合部３６において混合される冷水と湯水の比率が設定温度に応じた比率となるように、湯水混合部３６に指示を送る。続いて吐出制御部１７２は、第１流量調節部１４０に開弁指示を送り、第１流量調節部１４０に開弁動作を開始させる。吐出制御部１７２は特に、吐出される水の流量が設定情報保持部１７４に保持されている第１設定流量となるように、すなわち第１流量調節部１４０の開度が第１設定流量に応じた開度となるように、第１流量調節部１４０に開弁指示を送る。
【００７６】
また、吐出制御部１７２は、ダイヤル操作情報受付部１６４が受け付けた第２ダイヤル操作情報が、第２ダイヤル操作部１５２が短押しされた旨を示す情報を含む場合、吐出制御部１７２は第２吐出口１４８からの吐出状態を切り替える。すでに吐出中である場合は、吐出制御部１７２は、第２流量調節部１４６に閉弁指示を送り、第２流量調節部１４６に閉弁動作を開始させる。
【００７７】
吐出中でない場合は、吐出制御部１７２は、吐出される水の温度が設定情報保持部１７４に保持されている設定温度となるように、すなわち湯水混合部３６において混合される冷水と湯水の比率が設定温度に応じた比率となるように、湯水混合部３６に指示を送る。続いて吐出制御部１７２は、第２流量調節部１４６に開弁指示を送り、第２流量調節部１４６に開弁動作を開始させる。吐出制御部１７２は特に、吐出される水の流量が設定情報保持部１７４に保持されている第２設定流量となるように、すなわち第２流量調節部１４６の開度が第２設定流量に応じた開度となるように、第２流量調節部１４６に開弁指示を送る。
【００７８】
以上のように構成された吐水装置１１０の動作を説明する。
図１４は、第２ダイヤル操作部１５２を操作したときの動作を示すフローチャートである。なお、第１ダイヤル操作部１５０を操作したときの動作は、定量吐出がない点を除いて第２ダイヤル操作部１５２を操作したときと同様であるため、第２ダイヤル操作部１５２を操作したときの動作を代表として説明する。
【００７９】
第２ダイヤル操作部１５２が短押しされたことを第２ダイヤル操作検出部１５５が検出すると（Ｓ１１０のＹ）、第２ダイヤル操作伝達部１５８はその旨を示す情報を含む第２ダイヤル操作情報を制御部１６３に送る（Ｓ１１２）。第２吐出口１４８から水を吐出している場合（Ｓ１１４のＹ）、吐出制御部１７２は、第２流量調節部１４６に閉弁指示を送る（Ｓ１１６）。すると第２吐出口１４８からの水の吐出が止まる。第２吐出口１４８から水を吐出していない場合（Ｓ１１４のＮ）、吐出制御部１７２は、混合される冷水と湯水の比率が設定温度に応じた比率となるよう湯水混合部３６に指示を送り、第２流量調節部１４６に開弁指示を送る（Ｓ１１８）。すると、第２吐出口１４８から水が吐出される。定量吐出モードの場合（Ｓ１２０のＹ）、定量吐出流量の水が吐出されると、吐出制御部１７２は第２流量調節部１４６に閉弁指示を送る（Ｓ１２２）。定量吐出モードでない場合（Ｓ１２０のＮ）、すなわち通常吐出モードの場合、Ｓ１２２はスキップされる。
【００８０】
第２ダイヤル操作部１５２が長押しされたことが検出されると（Ｓ１１０のＮかつＳ１２４のＹ）、吐出モードが通常吐出モードと定量吐出モードとの間で切り替わる（Ｓ１２６）。
【００８１】
第２ダイヤル操作部１５２が押し回しされたことが検出されると（Ｓ１１０のＮかつＳ１２４のＮかつＳ１２８のＹ）、第２ダイヤル操作伝達部１５８はその旨を示す情報を含む第２ダイヤル操作情報を制御部１６３に送る（Ｓ１３０）。ダイヤル操作情報受付部１６４は、第２ダイヤル操作情報を受け付けると、そのダイヤル操作情報に基づいて、設定情報保持部１７４の定量吐出流量を更新する（Ｓ１３２）。表示制御部１６９は、更新された定量吐出流量を、定量吐出流量表示欄１８６に表示させる（Ｓ１３４）。
【００８２】
第２ダイヤル操作部１５２が通常回しされたことを第２ダイヤル操作検出部１５５が検出すると（Ｓ１１０のＮかつＳ１２４のＮかつＳ１２８のＮかつＳ１３６のＹ）、第２ダイヤル操作伝達部１５８はその旨を示す情報を含むダイヤル操作情報を制御部１６３に送る（Ｓ１３８）。ダイヤル操作情報受付部１６４は、ダイヤル操作情報を受け付けると、そのダイヤル操作情報に基づいて、設定情報保持部７４の設定流量を更新する（Ｓ１４０）。表示制御部１６９は、更新された設定流量を、第２設定流量表示欄１８５に表示させる（Ｓ１４２）。第２ダイヤル操作部１５２が通常回しもされていない場合（Ｓ１１０のＮかつＳ１２４のＮかつＳ１２８のＮかつＳ１３６のＮ）、処理は終了する。
【００８３】
以上説明した本実施の形態に係る吐水装置１１０によると、第１の実施の形態に係る吐水装置１０によって奏される作用効果と同様の作用効果が奏される。
【００８４】
以上、実施の形態に係る吐水装置について説明した。この実施の形態は例示であり、その各構成要素の組み合わせにいろいろな変形例が可能なこと、またそうした変形例も本発明の範囲にあることは当業者に理解されるところである。
【００８５】
（変形例１）
第１、第２の実施の形態では、１つのダイヤル操作部により、２つの吐出設定を変更する場合について説明したが、これに限られない。１つのダイヤル操作部により、３つ以上の吐出設定を変更できるようにしてもよい。例えば、ダイヤル操作部は、その回転軸方向に２段階に押し込めるように構成されてもよい。この場合、ダイヤル操作部を通常回し、１段階押し込んだ押し回し、または２段階押し込んだ押し回しすることにより、３つの吐出設定を変更できるようにしてもよい。また例えば、ダイヤル操作部は、その回転軸方向に押し込みと引き出しとができるように構成されてもよい。この場合、ダイヤル操作部を通常回し、１段階押し込んだ押し回し、１段階引き出した引き回しすることにより、３つの吐出設定を変更できるようにしてもよい。つまり、ダイヤル操作部を、回転軸方向における異なる位置で回転することにより、異なる吐出設定が変更されればよい。例えば、第２の実施の形態において、１つのダイヤル操作部でカランの流量調節と、シャワーの流量調節と、カランおよびシャワーの温度調節との３段階操作できるようにすれば、操作部を１つにまとめることができる。
【００８６】
（変形例２）
第１の実施の形態では、ダイヤル操作伝達部５６は、ダイヤル操作部５０が受けた操作を制御部６０を介して電気的に湯水混合部３６や流量調節部４０に伝達する場合について説明したが、これに限られない。ダイヤル操作伝達部５６は、ダイヤル操作部５０が受けた操作を機械的に湯水混合部３６や流量調節部４０に伝達し、それらを調節してもよい。第２の実施の形態では、第１ダイヤル操作伝達部１５７、第２ダイヤル操作伝達部１５８、第３ダイヤル操作伝達部１５９は、第１ダイヤル操作部１５１、第２ダイヤル操作部１５２、第３ダイヤル操作部１５３が受けた操作を制御部１６３を介して電気的に湯水混合部３６や第１流量調節部１４０や第２流量調節部１４６に伝達する場合について説明したが、これに限られない。第１ダイヤル操作伝達部１５７、第２ダイヤル操作伝達部１５８、第３ダイヤル操作伝達部１５９は、第１ダイヤル操作部１５１、第２ダイヤル操作部１５２、第３ダイヤル操作部１５３が受けた操作を機械的に湯水混合部３６や第１流量調節部１４０や第２流量調節部１４６に伝達し、それらを調節してもよい。
【００８７】
（変形例３）
第２の実施の形態では、第２吐出口１４８からの吐出についてのみ定量吐出モードを設けていたが、これに限られず、第１吐出口１４２からの吐出について定量吐出モードを設けてもよい。この場合、第１ダイヤル操作部１５１のハンドルを長押しすることによって通常吐出モードと定量吐出モードとが切り替わってもよい。
【００８８】
（変形例４）
第１、第２の実施の形態では特に言及しなかったが、ダイヤル操作部は、切り替わり時にクリック感を発生させるクリック機構を有していてもよい。この場合、使用者は、通常回しと押し回しの切り替わりを明確に把握できる。なお、クリック機構は、公知の技術を用いて構成されてもよい。
【符号の説明】
【００８９】
１０  吐水装置、  ２８  水栓ユニット、  ３０  操作装置、  ５０  ダイヤル操作部、  ５４  ダイヤル操作検出部、  ６０  制御部、  ６２  ダイヤル操作情報受付部、  ７４  設定情報保持部、  ９０  ハンドル、  １１０  吐水装置、  １２８  水栓ユニット、  １３０  操作装置、  １５２  第２ダイヤル操作部、  １５５  第２ダイヤル操作検出部、  １６４  ダイヤル操作情報受付部、  １７４  設定情報保持部。
【図１】
2016211186.tif 000003
【図２】
2016211186.tif 000004
【図３】
2016211186.tif 000005
【図４】
2016211186.tif 000006
【図５】
2016211186.tif 000007
【図６】
2016211186.tif 000008
【図７】
2016211186.tif 000009
【図８】
2016211186.tif 000010
【図９】
2016211186.tif 000011
【図１０】
2016211186.tif 000012
【図１１】
2016211186.tif 000013
【図１２】
2016211186.tif 000014
【図１３】
2016211186.tif 000015
【図１４】
2016211186.tif 000016